(57)【特許請求の範囲】
【請求項１】
複数のコマ画像を含んだ写真フィルムを処理する処理手段と、処理条件等の入力を行う入力手段とを備えた写真処理装置において、
１コマ分の長さに足りないコマ画像を処理するか否かの判断基準長さが記憶された記憶手段と、
前記写真フィルムの先端もしくは後端のコマ画像の長さを検出する検出手段と、検出したコマ画像の長さを前記判断基準長さと比較して、判断基準長さ以上であるか否かを判断する判断手段と、
判断基準長さ以上であれば前記処理手段における処理を行い、判断基準長さ未満であれば前記処理手段における処理を行わないように制御する制御手段と、
前記記憶手段に記憶された判断基準長さを前記入力手段を用いて変更する変更手段と、
を備えたことを特徴とする写真処理装置。
【請求項２】
写真処理装置には画像モニターを備えると共に、
１コマ分の長さに足りないコマ画像の画像イメージを前記画像モニターに表示する表示手段を備えることを特徴とする請求項１に記載の写真処理装置。
【請求項３】
制御手段は、
１コマ分の長さに足りないコマ画像の場合は、判断要求信号を出力し、入力手段からの判断指令に基づいて前記処理手段における処理を行うか否かの制御をすることを特徴とする請求項１または２に記載の写真処理装置。
【発明の詳細な説明】
【０００１】
【産業上の利用分野】
本発明は、複数のコマ画像を含んだ写真フィルムを処理する装置において、前記写真フィルムのコマ画像の長さが所定の長さに足らない場合の処理機能を備えた写真処理装置に関するものである。
【０００２】
【従来の技術】
複数のコマ画像を含んだ写真フィルムを印画紙等の感光材料に焼き付ける場合、特に焼き増しの場合等においては、前記写真フィルムの先端もしくは後端等の端部においては１コマ分の長さがなく、コマの途中で切れている場合がある。
自動的な写真処理装置で前記のような写真フィルムを処理する場合には、例えば１コマの半分の長さを判断基準として、それより長い場合は焼き付けし、短い場合は焼き付けしないというように自動的に判断して処理する機能を備えているものがある。
このような装置でも、１コマの半分以下の場合でも焼き付けしたい場合には、オペレータが、当該写真フィルムを写真処理装置に再度セットして、手動操作等の特別なモードに切り替える等して焼き付け処理していた。
【０００３】
【発明が解決しようとする課題】
上述したように、１コマの半分以下のコマを焼き付けしたい場合にオペレータが再度セットしなおして手動操作等することは、作業の能率が悪いという問題があった。
【０００４】
そこで、本発明は、１コマ分の長さに足りないコマを処理するか否かの判断基準を自由に設定可能な写真処理装置を提供することを目的としてなされたものである。
【０００５】
【課題を解決するための手段】
本発明にかかる請求項１の写真処理装置においては、複数のコマ画像を含んだ写真フィルムを処理する処理手段と、処理条件等の入力を行う入力手段とを備えた写真処理装置において、１コマ分の長さに足りないコマ画像を処理するか否かの判断基準長さが記憶された記憶手段と、前記写真フィルムの先端もしくは後端のコマ画像の長さを検出する検出手段と、検出したコマ画像の長さを前記判断基準長さと比較して、判断基準長さ以上であるか否かを判断する判断手段と、
判断基準長さ以上であれば前記処理手段における処理を行い、判断基準長さ未満であれば前記処理手段における処理を行わないように制御する制御手段と、
前記記憶手段に記憶された判断基準長さを前記入力手段を用いて変更する変更手段と、を備えるという手段を講じた。
【０００６】
請求項２においては、写真処理装置には画像モニターを備えると共に、１コマ分の長さに足りないコマ画像の画像イメージを前記画像モニターに表示する表示手段を備えた。
請求項３においては、請求項１の制御手段は、１コマ分の長さに足りないコマ画像の場合は判断要求信号を出力し、入力手段からの判断指令に基づいて前記処理手段における処理を行うか否かの制御をするものとした。
【０００７】
【発明の実施の形態】
以下に、本発明にかかる写真処理装置を、その実施の形態を示した図面に基づいて詳細に説明する。
【０００８】
１は写真処理装置であり、１１はネガフィルムＦを１コマづつ順次搬送するオートネガマスク、１２は各コマ画像を１コマづつ読み取るスキャナ、１３はネガフィルムＦの各コマの画像を露光して印画紙Ｐに焼き付ける露光部、１４は前記印画紙Ｐを現像処理する現像部である。
１５はコマ画像の長さを検知するセンサーであり、前記オートネガマスク１１の入り口側に配設されている。コマ画像の濃度を検知している時間と、そのときの搬送速度や搬送モータ用のパルスの数等に基づいてコマ画像の長さを検知する。
なお、ネガフィルムＦの先端もしくは後端にスプライシングテープが貼付されている場合には、スプライシングテープの部分はコマ画像が欠けているものと判断する。
このセンサー１５は、コマ画像を検出する画像センサーや濃度センサーを利用することも可能である。
【０００９】
２０は制御部であり、前記スキャナ１２で読み取ったコマ画像のイメージを露光条件に基づいて処理して画像モニター３０に表示する画像処理手段２１と、キーボード部４０を用いて入力された補正条件に従って前記露光条件を補正する露光条件補正手段２２と、判断基準長さが記憶された記憶手段２３と、前記処理手段における処理を行うか否かを指定する制御信号を出力する判断手段２４と、前記記憶手段に記憶された判断基準長さを前記キーボード部４０の操作に基づいて変更する変更手段２５と、を備えている。
【００１０】
なお、以上において、請求項に記載した構成に相当するものは同じ名称を用いたが、それ以外の異なる名称を用いたもに関しては以下のように対応している。即ち、ネガフィルムＦは写真フィルムに相当し、印画紙Ｐは感光材料に相当し、制御部２０は制御手段に相当し、キーボード部４０は入力手段に相当し、露光部１３と現像処理部１４は処理手段に相当し、センサー１５は検出手段に相当し、画像処理手段２１は請求項２の表示手段に相当するものである。
【００１１】
オペレータは、画像モニター３０に表示されたコマ画像を見ながらキーボード部４０の所定のキーやスイッチ等を操作して、露光条件等の入力もしくは補正等を行い、「プリントキー」４１を押して当該コマ画像の焼き付けと露光した印画紙の現像処理を行う。
ネガフィルムＦの先端もしくは後端以外のコマの場合には、従来通りに通常の焼き付け現像処理が自動的に行われるが、ネガフィルムＦの先端もしくは後端の場合には、以下の場合分けによる制御が行われる。
このようなネガフィルムの先端もしくは後端の検出は、前記センサー１５でも可能であるが、検知レバーを備えたリミットスイッチのような機械的な検出手段や光学的な検出手段を備えてもよい。
【００１２】
図４に示したような拡張機能選択画面でキーボード部４０を操作して、矢線Ｃで示したように、「有効画面長さの機能の使用」の設定項目を「使用する」または「使用しない」の何れかに設定しておく。「使用する」と設定された場合は判断手段は後述するように自動的に焼き付けするか否かを判断し、「使用しない」と設定された場合には判断手段は後述するようにオペレータの判断を要求する。なお、前記記憶手段２３には判断基準長さＬ１と無条件パス長さＬ２と最大長さＬｍａｘ  が記憶されているものとする。
なお、図４に示したような拡張機能選択画面でキーボード部４０を操作して、矢線Ｄで示したように、前記判断基準長さＬ１を例えば１８ｍｍ〜Ｌｍａｘ  （≧３６ｍｍ）の間で任意に設定できる。また、無条件パス長さＬ２も例えば０ｍｍ〜１８ｍｍの間で任意に設定できるようにしてもよい。
また、前記判断基準長さＬ１の設定は、図４のような設定画面ではなく、図５に示したようなグラフィック画面で設定してもよい。この場合には、グラフィック画面上にオートネガマスクの開口部に対応した領域Ｅを表示するとともに、判断基準長さＬ１に相当する領域Ｆを矩形表示するようにしてもよい。カーソルキー等を操作して前記領域Ｆを拡張／縮小して所望の長さに設定する。このようなグラフィック画面によって設定すると設定ミスが少なくできる。
【００１３】
以上の条件において、まず、センサー１５によって検出した端部のコマのコマ画像の長さＷを、前記記憶手段２３に記憶されている最大長さＬmax,判断基準長さＬ１, 及び無条件パス長さＬ２と比較し、以下の場合に分けて制御する。
ａ）０＜Ｗ＜Ｌ２の場合
そのコマは無条件でパスして処理しない。
ｂ）Ｌ２≦Ｗ＜Ｌ１の場合
「有効画面長さの機能の使用」という設定項目が「使用する」となって          いた場合には、そのコマはパスして焼き付けしない。
「有効画面長さの機能の使用」という設定項目が「使用しない」となっ          ていた場合には、図３のように、前記画像モニター３０に、当該コマ          画像３１と、設定されている判断基準長さＬ１に対応した長さの帯３          ２とを表示するとともに、判断要求信号を出力して、前記画像モニタ          ー３０の画面の一部に「ネガ位置を確認して下さい。」等のメッセー          ジ３３を表示する。
オペレータはキーボード部４０の「前進／後退キー」４２を操作し          て、ネガフィルムを移動させて、オートネガマスクの位置が一点鎖線          Ａから一点鎖線Ｂの状態になるように調節してから、「プリントキー          」４１を押して焼き付け／現像処理を行う。
または、オペレータはキーボード部４０の「パスキー」４３を操作          して、そのコマの処理を行わないことも可能である。
ｃ）Ｌ１≦Ｗ≦Ｌmax 場合
そのコマは無条件でスキャナで画像を読み取って露光条件の補正等を          行って焼き付けを行う。
【００１４】
なお、ネガフィルムの先端のコマの場合の判断基準長さと、後端のコマの場合の判断基準長さとを異なる値に設定してもよい。
【００１５】
前記記憶手段２３に記憶されている判断基準長さＬ１、無条件パス長さＬ２、及び最大長さＬｍａｘ  は、キーボード部４０のアップ／ダウンキーやテンキーを操作することによって、前記変更手段２５を介して変更することができる。
従って、自動的に焼き付けるかパスするかの基準を、キーボード部を操作して自由に設定することができるので、焼き増しの依頼者の要求等に個別に対応することが容易になる。
【００１６】
【発明の効果】
このようにして、請求項１の発明によれば、記憶手段に記憶された判断基準長さを入力手段を用いて変更できるように構成したので、依頼者の要求に個々に対応することが可能となる。
【００１７】
請求項２の発明によれば、１コマ分の長さに足りないコマ画像の画像イメージを画像モニターに表示するので、自動的に処理する場合でもオペレータが指定する場合でも間違いなく処理できるようになる。
請求項３の発明によれば、１コマ分の長さに足りないコマ画像の場合は、処理手段における処理を行うか否かの判断を要求するので、さらに細かい対応が可能となる。
【図面の簡単な説明】
【図１】本発明にかかる写真処理装置の全体の概略構成図である。
【図２】前記写真処理装置の要部のブロック構成図である。
【図３】前記写真処理装置の設定画面の表示例である。
【図４】前記写真処理装置の設定画面の表示例である。
【図５】前記写真処理装置の設定画面の別の表示例である。
【符号の説明】
Ｆ    ネガフィルム
Ｐ    印画紙
１    写真処理装置
１１  オートネガマスク
１２  スキャナ
１３  露光部
１４  現像部
１５  センサー
２０  制御部
２１  画像処理手段
２２  露光条件補正手段
２３  記憶手段
２４  判断手段
２５  変更手段
３０  画像モニター
４０  キーボード部
【図３】
0003567785.tif 000002
【図４】
0003567785.tif 000003
【図５】
0003567785.tif 000004
【図１】
0003567785.tif 000005
【図２】
0003567785.tif 000006